Podtech/llm-jp-corpus-v4-ja_patent huggingface dataset:
【手続補正書】
【提出日】平成20年8月15日(2008.8.15)
【手続補正１】
【補正対象書類名】明細書
【補正対象項目名】特許請求の範囲
【補正方法】変更
【補正の内容】
【特許請求の範囲】
【請求項１】  第１導電型の第１の半導体領域と、
前記第１の半導体領域の表面部分に選択的に形成された第２導電型の第２の半導体領域と、
前記第２の半導体領域の表面部分に選択的に形成された第１導電型の第３の半導体領域と、
前記第１の半導体領域の裏面に形成された第２導電型の第４の半導体領域と、
前記第３の半導体領域の表面から前記第２の半導体領域を貫通して前記第１の半導体領域に達する複数のトレンチ内に絶縁膜を介して設けられた第１の電極と、
前記第２の半導体領域の一部および前記第３の半導体領域に共通に接触した第２の電極と、
前記第４の半導体領域に接触した第３の電極と、
を具備し、
前記第２の半導体領域の、前記トレンチにより仕切られた複数の領域のうち、前記第２の電極に接触する第１の領域は相対的に浅く該第１の領域からのトレンチの張り出しが大きく、一方、前記第２の電極に接触しない第２の領域は相対的に深く該第２の領域からのトレンチの張り出しが小さいことを特徴とする半導体装置。
【請求項２】  前記第１の半導体領域と前記第４の半導体領域との間に第１導電型の第５の半導体領域が設けられていることを特徴とする請求項１に記載の半導体装置。
【請求項３】  前記第２の半導体領域において、隣り合う前記第１の領域の間に複数の前記第２の領域が設けられていることを特徴とする請求項１または２に記載の半導体装置。
【請求項４】  第２の領域と第２の電極の間に抵抗が設けられたことを特徴とする請求項１に記載の半導体装置。
【手続補正２】
【補正対象書類名】明細書
【補正対象項目名】０００７
【補正方法】変更
【補正の内容】
【０００７】
【課題を解決するための手段】
上記目的を達成するため、本発明にかかる半導体装置は、トレンチゲート構造を有する半導体装置において、チャネル層の、トレンチにより仕切られた複数の領域のうち、エミッタ電極に接触する第１の領域をトレンチよりも浅く該第１の領域からのトレンチの張り出しが大きく、一方、エミッタ電極に接触しない第２の領域は相対的に深く該第２の領域からのトレンチの張り出しを小さく形成したことを特徴とする。
【手続補正３】
【補正対象書類名】明細書
【補正対象項目名】００１０
【補正方法】変更
【補正の内容】
【００１０】
実施の形態１．
図１は、本発明の実施の形態１であるトレンチゲート構造のノンパンチスルー型ＩＧＢＴの構成を示す断面図である。図１に示すように、このＩＧＢＴは、第１の半導体領域であるドリフト層２１となるＮ型のＦＺウェハ２の表面に、第２の半導体領域であるＰ型のチャネル層を構成する第１の領域２２ａと第２の領域２２ｂを有する。第１の領域２２ａは、第２の領域２２ｂよりも拡散深さが浅い。チャネル層に、このように異なる拡散深さの領域２２ａ，２２ｂを形成するには、対応するパターンを有するマスクを用い、たとえばそれぞれの拡散深さに応じてイオン注入エネルギーを変えてイオンの打ち込みをおこなえばよく、領域２２ｂをトレンチとほぼ同じ深さとすることができる。このように、領域２２ｂを深くすることで、トレンチボトムの電界が緩和されて、コレクタ・エミッタ間の耐圧を上げることができる。また、イオン注入エネルギーを変える手段のほかに、トレンチ形成後に拡散の温度・時間を変えて領域２２ａ、２２ｂを形成してもよい。
【手続補正書】
【提出日】平成19年12月14日(2007.12.14)
【手続補正１】
【補正対象書類名】明細書
【補正対象項目名】請求項１
【補正方法】変更
【補正の内容】
【請求項１】  窒化物半導体活性層と、この活性層で生じた光を導波するストライプ状導波路とを含み、前記ストライプ状導波路の両側の一部の領域において前記導波路から０．３μｍ以内の距離に及ぶように少なくとも一対の光吸収膜が設けられていることを特徴とする窒化物半導体レーザ素子。
【手続補正２】
【補正対象書類名】明細書
【補正対象項目名】００１２
【補正方法】変更
【補正の内容】
【００１２】
【課題を解決するための手段】
本発明の一つの態様による窒化物半導体レーザ素子は、窒化物半導体活性層と、この活性層で生じた光を導波するストライプ状導波路とを含み、そのストライプ状導波路の両側の一部の領域においてその導波路から０．３μｍ以内の距離に及ぶように少なくとも一対の光吸収膜が設けられていることを特徴としている。
【手続補正書】
【提出日】平成20年9月5日(2008.9.5)
【手続補正１】
【補正対象書類名】明細書
【補正対象項目名】発明の名称
【補正方法】変更
【補正の内容】
【発明の名称】メッセージ伝達システム、メッセージ伝達装置、メッセージ送信端末、メッセージ受信端末、メッセージ伝達方法、およびプログラム 
【手続補正２】
【補正対象書類名】明細書
【補正対象項目名】特許請求の範囲
【補正方法】変更
【補正の内容】
【特許請求の範囲】
【請求項１】
メッセージ送信端末、メッセージ受信端末およびメッセージ伝達装置を備える
メッセージ伝達システムであって、
前記メッセージ送信端末は、
前記メッセージ受信端末の位置に対応して前記メッセージ受信端末に送信すべ
きメッセージを前記メッセージ伝達装置に送信するメッセージ送信手段、
を有し、
前記メッセージ伝達装置は、
前記メッセージを記録するメッセージ記録手段と、
前記メッセージ受信端末の位置がメッセージを送信すべき範囲内か否かを判定
するメッセージ送信判定手段と、
前記メッセージ送信判定手段が送信すべき範囲内であると判定したときに前記
メッセージを前記メッセージ受信端末に送信するメッセージ送信手段と、
を有し、
前記メッセージ受信端末は、
前記メッセージ伝達装置に位置を知らせる位置送信手段と、
前記メッセージを受信するメッセージ受信手段と、
を有する、
メッセージ伝達システム。
【請求項２】
請求項１に記載のメッセージ伝達システムであって、
前記メッセージ送信端末および前記メッセージ受信端末は一体であるメッセー
ジ伝達システム。
【請求項３】
請求項１または２に記載のメッセージ伝達システムであって、
前記メッセージ受信端末は、
前記メッセージの消去の指示を前記メッセージ伝達装置に送信するメッセージ
消去指示手段を有し、
前記メッセージ伝達装置は、
前記メッセージの消去の指示を受信して前記メッセージを前記メッセージ記録
手段から消去するメッセージ消去指示受信手段を有する、
メッセージ伝達システム。
【請求項４】
請求項３に記載のメッセージ伝達システムであって、
複数のメッセージ受信端末に共通のメッセージが対応付けられているメッセー
ジ伝達システム。
【請求項５】
請求項３または４に記載のメッセージ伝達システムであって、
前記メッセージ受信端末は、
前記メッセージの内の消去すべきものを取得する消去メッセージ取得手段を有
する、
メッセージ伝達システム。
【請求項６】
請求項３または４に記載のメッセージ伝達システムであって、
前記メッセージ消去指示手段はユーザの指示により作動するメッセージ伝達シ
ステム。
【請求項７】
メッセージ受信端末の位置に対応したメッセージを送信するメッセージ伝達装
置であって、
前記メッセージを記録するメッセージ記録手段と、
前記メッセージ受信端末の位置がメッセージを送信すべき範囲内か否かを判定
するメッセージ送信判定手段と、
前記メッセージ送信判定手段が送信すべき範囲内であると判定したときに前記
メッセージを前記メッセージ受信端末に送信するメッセージ送信手段と、
を備えたメッセージ伝達装置。
【請求項８】
請求項７に記載のメッセージ伝達装置であって、
メッセージの消去の指示を前記メッセージ受信端末から受信して前記メッセー
ジを前記メッセージ記録手段から消去するメッセージ消去指示受信手段を有する
メッセージ伝達装置。
【請求項９】
メッセージ受信端末の位置に対応して前記メッセージ受信端末に送信すべきメ
ッセージをメッセージ伝達装置に送信するメッセージ送信手段を備えたメッセー
ジ送信端末。
【請求項１０】
メッセージ伝達装置に位置を知らせる位置送信手段と、
前記メッセージ伝達装置から前記位置に対応したメッセージを受信するメッセ
ージ受信手段と、
を備えるメッセージ受信端末。
【請求項１１】
請求項１０に記載のメッセージ受信端末であって、
前記メッセージの消去の指示を前記メッセージ伝達装置に送信するメッセージ
消去指示手段を備えたメッセージ受信端末。
【請求項１２】
請求項１１に記載のメッセージ受信端末であって、
前記メッセージの内の消去すべきものを取得する消去メッセージ取得手段を有
するメッセージ受信端末。
【請求項１３】
請求項１１に記載のメッセージ受信端末であって、
前記メッセージ消去指示手段はユーザの指示により作動するメッセージ受信端
末。
【請求項１４】
メッセージ伝達装置とメッセージを送受信するメッセージ送受信端末であって
、
前記メッセージ送受信端末の位置に対応して前記メッセージ送受信端末に送信
すべきメッセージをメッセージ伝達装置に送信するメッセージ送信手段と、
前記メッセージ伝達装置に位置を知らせる位置送信手段と、
前記メッセージ伝達装置から前記位置に対応したメッセージを受信するメッセ
ージ受信手段と、
を備えるメッセージ送受信端末。
【請求項１５】
メッセージ受信端末の位置に対応したメッセージを送信するメッセージ伝達方
法であって、
前記メッセージを記録するメッセージ記録工程と、
前記メッセージ受信端末の位置がメッセージを送信すべき範囲内か否かを判定
するメッセージ送信判定工程と、
前記メッセージ送信判定工程において送信すべき範囲内であると判定されたと
きに前記メッセージを前記メッセージ受信端末に送信するメッセージ送信工程と
、
を備えたメッセージ伝達方法。
【請求項１６】
請求項１５に記載のメッセージ伝達方法であって、
メッセージ受信端末の位置に対応して前記メッセージ受信端末に送信すべきメ
ッセージをメッセージ送信端末からメッセージ伝達装置に送信するメッセージ送信工程を備えたメッセージ伝達方法。
【請求項１７】
請求項１５または１６に記載のメッセージ伝達方法であって、
メッセージ伝達装置に位置を知らせる位置送信工程と、
前記メッセージ伝達装置から前記位置に対応したメッセージをメッセージ受信端末にて受信するメッセージ受信工程と、
を備えるメッセージ伝達方法。
【請求項１８】
メッセージ受信端末の位置に対応したメッセージを送信するメッセージ伝達処
理をコンピュータに実行させるためのプログラムであって、
前記メッセージを記録するメッセージ記録処理と、
前記メッセージ受信端末の位置がメッセージを送信すべき範囲内か否かを判定
するメッセージ送信判定処理と、
前記メッセージ送信判定処理において送信すべき範囲内であると判定されたと
きに前記メッセージを前記メッセージ受信端末に送信するメッセージ送信処理と
、
をコンピュータに実行させるためのプログラム。
【請求項１９】
請求項１８に記載のプログラムであって、
メッセージ受信端末の位置に対応して前記メッセージ受信端末に送信すべきメ
ッセージをメッセージ送信端末からメッセージ伝達装置に送信するメッセージ送信処理をコンピュータに実行させるためのプログラム。
【請求項２０】
請求項１８または１９に記載のプログラムであって、
メッセージ伝達装置に位置を知らせる位置送信処理と、
前記メッセージ伝達装置から前記位置に対応したメッセージをメッセージ受信端末にて受信するメッセージ受信処理と、
をコンピュータに実行させるためのプログラム。
【手続補正書】
【提出日】平成20年9月18日(2008.9.18)
【手続補正１】
【補正対象書類名】明細書
【補正対象項目名】発明の名称
【補正方法】変更
【補正の内容】
【発明の名称】撮像装置、撮像装置の制御方法、及びコンピュータプログラム
【手続補正２】
【補正対象書類名】明細書
【補正対象項目名】特許請求の範囲
【補正方法】変更
【補正の内容】
【特許請求の範囲】
【請求項１】  内蔵ストロボと、
外部ストロボを接続するための接続部と、
前記内蔵ストロボおよび前記外部ストロボの少なくとも何れか一方のストロボを選択する選択手段と、
撮像素子から出力された信号を増幅する増幅手段と、
前記増幅手段のゲインを設定する制御手段とを備え、
前記制御手段は、前記選択手段にて選択されたストロボのガイドナンバーに応じて、前記ゲインを設定することを特徴とする撮像装置。
【請求項２】  前記選択手段にて選択されたストロボのメインコンデンサの電圧を検出する電圧検出手段を有し、
前記制御手段は、充電によって前記メインコンデンサの電圧が高くなるほど、前記ゲインを低く設定することを特徴とする請求項１に記載の撮像装置。
【請求項３】  撮像装置の内蔵ストロボ、および、前記撮像装置に外付け可能な外部ストロボの少なくとも何れか一方のストロボを選択する選択工程と、
前記撮像装置の撮像素子から出力された信号を増幅する増幅手段のゲインを設定する制御工程と、
前記増幅手段を用いて、前記撮像素子から出力された信号を、前記制御工程において設定されたゲインにて増幅させる増幅工程とを備え、
前記制御工程では、前記選択工程にて選択されたストロボのガイドナンバーに応じて前記ゲインを設定することを特徴とする撮像装置の制御方法。
【請求項４】  請求項３に記載の撮像装置の制御方法の各工程をコンピュータに実行させることを特徴とするコンピュータプログラム。
【手続補正３】
【補正対象書類名】明細書
【補正対象項目名】０００１
【補正方法】変更
【補正の内容】
【０００１】
【発明の属する技術分野】
本発明は、撮像装置、撮像装置の制御方法、及びコンピュータプログラムに関し、特に、ストロボ光を発光して被写体を撮影するのに用いて好適なものである。
【手続補正４】
【補正対象書類名】明細書
【補正対象項目名】０００６
【補正方法】変更
【補正の内容】
【０００６】
【課題を解決するための手段】
本発明の撮像装置は、内蔵ストロボと、外部ストロボを接続するための接続部と、前記内蔵ストロボおよび前記外部ストロボの少なくとも何れか一方のストロボを選択する選択手段と、撮像素子から出力された信号を増幅する増幅手段と、前記増幅手段のゲインを設定する制御手段とを備え、前記制御手段は、前記選択手段にて選択されたストロボのガイドナンバーに応じて、前記ゲインを設定することを特徴とする。
【手続補正５】
【補正対象書類名】明細書
【補正対象項目名】０００７
【補正方法】変更
【補正の内容】
【０００７】
本発明の撮像装置の制御方法は、撮像装置の内蔵ストロボ、および、前記撮像装置に外付け可能な外部ストロボの少なくとも何れか一方のストロボを選択する選択工程と、前記撮像装置の撮像素子から出力された信号を増幅する増幅手段のゲインを設定する制御工程と、前記増幅手段を用いて、前記撮像素子から出力された信号を、前記制御工程において設定されたゲインにて増幅させる増幅工程を備え、前記制御工程では、前記選択工程にて選択されたストロボのガイドナンバーに応じて前記ゲインを設定することを特徴とする。
【手続補正６】
【補正対象書類名】明細書
【補正対象項目名】０００８
【補正方法】変更
【補正の内容】
【０００８】
本発明のコンピュータプログラムは、前記撮像装置の制御方法の各工程をコンピュータに実行させることを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
【発明の実施の形態】
次に、添付の図面を参照しながら、本発明の実施の形態について説明する。
本実施の形態の撮影装置は、内蔵ストロボと、外付けの外部ストロボとを有している。
【手続補正９】
【補正対象書類名】明細書
【補正対象項目名】００６６
【補正方法】変更
【補正の内容】
【００６６】
【発明の効果】
上述したように本発明によれば、撮影の目的に合わせた画像を得ることが可能になる。
【手続補正１０】
【補正対象書類名】明細書
【補正対象項目名】００６８
【補正方法】削除
【補正の内容】
【手続補正書】
【提出日】平成20年10月2日(2008.10.2)
【手続補正１】
【補正対象書類名】明細書
【補正対象項目名】発明の名称
【補正方法】変更
【補正の内容】
【発明の名称】受信装置およびその制御方法
【手続補正２】
【補正対象書類名】明細書
【補正対象項目名】特許請求の範囲
【補正方法】変更
【補正の内容】
【特許請求の範囲】
【請求項１】 それぞれデジタル放送信号を受信する複数のチューナを備える受信装置であって、
前記受信装置で使用可能なチューナの数の情報を取得し、前記使用可能なチューナの数に応じた表示レイアウトを決定する制御手段と、
前記制御手段により決定された表示レイアウトで、前記使用可能なチューナで受信したデジタル放送信号に係る映像を同一画面上に表示するように合成処理して表示部に出力する映像処理手段と、を備える受信装置。
【請求項２】  前記映像処理手段は、前記複数のチューナのうちの一つのチューナで受信したデジタル放送信号に含まれるデータ放送データを表示するためのデータ放送ブラウザを実行して、前記合成処理したデータを表示部に出力することを特徴とする請求項１記載の受信装置。
【請求項３】  前記制御手段は、前記データ放送データにより指定されたチャンネルを選局するように、前記使用可能なチューナを制御することを特徴とする請求項２記載の受信装置。
【請求項４】  前記映像処理手段は、ＸＭＬデータに対応したブラウザを実行して、前記合成処理したデータを表示部に出力することを特徴とする請求項１記載の受信装置。
【請求項５】  それぞれデジタル放送信号を受信する複数のチューナを備える受信装置の制御方法であって、
前記受信装置で使用可能なチューナの数の情報を取得する取得ステップと、
前記使用可能なチューナの数に応じた表示レイアウトを決定する決定ステップと、
前記決定された表示レイアウトで、前記使用可能なチューナで受信したデジタル放送信号に係る映像を同一画面上に表示するように合成処理して表示部に出力する出力ステップと、を有する受信装置の制御方法。
【請求項６】  前記出力ステップは、前記複数のチューナのうちの一つのチューナで受信したデジタル放送信号に含まれるデータ放送データを表示するためのデータ放送ブラウザを実行して、前記合成処理したデータを表示部に出力することを特徴とする請求項５記載の受信装置の制御方法。
【請求項７】  さらに、前記データ放送データにより指定されたチャンネルを選局するように前記使用可能なチューナを制御する制御ステップを有することを特徴とする請求項６記載の受信装置の制御方法。
【請求項８】  前記出力ステップは、ＸＭＬデータに対応したブラウザを実行して、前記合成処理したデータを表示部に出力することを特徴とする請求項５記載の受信装置の制御方法。
【手続補正３】
【補正対象書類名】明細書
【補正対象項目名】０００１
【補正方法】変更
【補正の内容】
【０００１】
【発明の属する技術分野】
本発明は受信装置およびその制御方法に関し、特に、それぞれデジタル放送信号を受信する複数のチューナを備える受信装置およびその制御方法に関する。
【手続補正４】
【補正対象書類名】明細書
【補正対象項目名】００１０
【補正方法】変更
【補正の内容】
【００１０】
【課題を解決するための手段】
前記課題を解決するため、本発明に係る受信装置は、それぞれデジタル放送信号を受信する複数のチューナを備える受信装置であって、前記受信装置で使用可能なチューナの数の情報を取得し、前記使用可能なチューナの数に応じた表示レイアウトを決定する制御手段と、前記制御手段により決定された表示レイアウトで、前記使用可能なチューナで受信したデジタル放送信号に係る映像を同一画面上に表示するように合成処理して表示部に出力する映像処理手段とを備える。
また、本発明に係る受信装置の制御方法は、それぞれデジタル放送信号を受信する複数のチューナを備える受信装置の制御方法であって、前記受信装置で使用可能なチューナの数の情報を取得する取得ステップと、前記使用可能なチューナの数に応じた表示レイアウトを決定する決定ステップと、前記決定された表示レイアウトで、前記使用可能なチューナで受信したデジタル放送信号に係る映像を同一画面上に表示するように合成処理して表示部に出力する出力ステップとを有する。
【手続補正５】
【補正対象書類名】明細書
【補正対象項目名】００２３
【補正方法】変更
【補正の内容】
【００２３】
そして、番組配列情報から得られる情報に基づき、チューナドライバ、トランスポートデコードドライバを介してチューナ１０２，１０３，１０４およびトランスポートデコーダ１０５，１０６，１０７を制御して目的の放送番組を構成する映像ストリーム、音声ストリームを獲得し、映像デコーダ１０８，１０９および音声デコーダ１１０に送る。また、番組配列情報から得られる情報に基づき、チューナ１０４及びトランスポートデコーダ１０７を制御し、データ放送データの受信が行われる。さらに操作入出力ドライバを介してリモコンおよび操作ボタンとの通信が行われ、ユーザの操作を入力する。
【手続補正書】
【提出日】平成20年10月2日(2008.10.2)
【手続補正１】
【補正対象書類名】明細書
【補正対象項目名】発明の名称
【補正方法】変更
【補正の内容】
【発明の名称】受信装置、受信方法および記録媒体
【手続補正２】
【補正対象書類名】明細書
【補正対象項目名】特許請求の範囲
【補正方法】変更
【補正の内容】
【特許請求の範囲】
【請求項１】  それぞれ、映像データおよびデータ放送データを含むデジタル放送信号を受信する複数の受信手段と、
前記複数の受信手段のうちの一つの受信手段で受信されたデータ放送データから制御テンプレートデータを取得し、取得した制御テンプレートデータで指定されたチャンネルを選局するように、前記複数の受信手段のうちの他の受信手段を制御する制御手段と、
前記複数の受信手段により受信された複数の映像データを同一画面上に表示するように合成処理して表示部に出力する映像処理手段と、を備える受信装置。
【請求項２】  前記映像処理手段は、前記データ放送データを表示するためのデータ放送ブラウザを実行して前記合成処理したデータを表示部に出力することを特徴とする請求項１記載の受信装置。
【請求項３】  前記制御手段は、前記取得した制御テンプレートデータに従って、時間経過に伴い前記他の受信手段で選局するチャンネルを変更することを特徴とする請求項１または請求項２記載の受信装置。
【請求項４】  前記制御手段は、前記取得した制御テンプレートデータで指定された表示レイアウトで前記複数の映像データを合成処理するように、前記映像処理手段を制御することを特徴とする請求項１または請求項２記載の受信装置。
【請求項５】  前記制御手段は、前記取得した制御テンプレートデータに従って、時間経過に伴い前記映像処理手段で合成処理する前記複数の映像データの表示レイアウトを変更することを特徴とする請求項４記載の受信装置。
【請求項６】  複数のチャンネルの映像データ、および前記複数のチャンネルの映像データに対応するデータ放送データを含むデジタル放送信号を受信する受信手段と、
前記受信手段で受信されたデータ放送データから制御テンプレートデータを取得し、取得した制御テンプレートデータに従って前記複数のチャンネルの映像データを同一画面上に表示するように合成処理して表示部に出力する映像処理手段と、を備える受信装置。
【請求項７】  複数のチューナのそれぞれが、映像データおよびデータ放送データを含むデジタル放送信号を受信する受信ステップと、
前記複数のチューナのうちの一つのチューナで受信されたデータ放送データから制御テンプレートデータを取得する取得ステップと、
取得した制御テンプレートデータで指定されたチャンネルを選局するように、前記複数のチューナのうちの他のチューナを制御する制御ステップと、
前記複数のチューナにより受信された複数の映像データを同一画面上に表示するように合成処理して表示部に出力する映像処理ステップとを有することを特徴とする受信方法。
【請求項８】  複数のチャンネルの映像データ、および前記複数のチャンネルの映像データに対応するデータ放送データを含むデジタル放送信号を受信する受信ステップと、
受信したデータ放送データから制御テンプレートデータを取得する取得ステップと、
取得した制御テンプレートデータに従って前記複数のチャンネルの映像データを同一画面上に表示するように合成処理して表示部に出力する映像処理ステップとを有することを特徴とする受信方法。
【請求項９】  請求項７または請求項８に記載の方法をコンピュータに実行させるためのプログラムが格納されたコンピュータ読取り可能な記録媒体。
【手続補正３】
【補正対象書類名】明細書
【補正対象項目名】０００１
【補正方法】変更
【補正の内容】
【０００１】
【発明の属する技術分野】
本発明は受信装置、受信方法および記録媒体に関し、特に、映像データおよびデータ放送データを含むデジタル放送信号を受信する受信装置に関する。
【手続補正４】
【補正対象書類名】明細書
【補正対象項目名】００１０
【補正方法】変更
【補正の内容】
【００１０】
【課題を解決するための手段】
上記課題を解決するため、本発明に係る受信装置は、それぞれ、映像データおよびデータ放送データを含むデジタル放送信号を受信する複数の受信手段と、前記複数の受信手段のうちの一つの受信手段で受信されたデータ放送データから制御テンプレートデータを取得し、取得した制御テンプレートデータで指定されたチャンネルを選局するように、前記複数の受信手段のうちの他の受信手段を制御する制御手段と、前記複数の受信手段により受信された複数の映像データを同一画面上に表示するように合成処理して表示部に出力する映像処理手段と、を備える。
また、本発明に係る受信方法は、複数のチューナのそれぞれが、映像データおよびデータ放送データを含むデジタル放送信号を受信する受信ステップと、前記複数のチューナのうちの一つのチューナで受信されたデータ放送データから制御テンプレートデータを取得する取得ステップと、取得した制御テンプレートデータで指定されたチャンネルを選局するように、前記複数のチューナのうちの他のチューナを制御する制御ステップと、前記複数のチューナにより受信された複数の映像データを同一画面上に表示するように合成処理して表示部に出力する映像処理ステップとを有する。
また、本発明に係る記録媒体は、上記受信方法をコンピュータに実行させるためのプログラムが格納されたコンピュータ読取り可能な記録媒体である。
【手続補正書】
【提出日】平成20年9月17日(2008.9.17)
【手続補正１】
【補正対象書類名】明細書
【補正対象項目名】特許請求の範囲
【補正方法】変更
【補正の内容】
【特許請求の範囲】
【請求項１】  第１の設定時間で所定の機能を停止するオートパワーオフ機能、及び第２の設定時間で表示部を消灯させる消灯機能を有し、前記表示部を制御する表示制御部を備え、前記表示制御部は、前記第１の設定時間を基に前記第２の設定時間を決定し、該第２の設定時間によって前記表示部を消灯させるように制御することを特徴とする画像記録装置。
【請求項２】  撮影時の画像確認機能と、装置本体の各種設定を前記表示部で選択可能にする選択機能を更に有し、前記表示制御部は、前記第１の設定時間を基に前記第２の設定時間を計算する計算機能と、計算した第２の設定時間を計測する計測機能を有し、該計測した第２の設定時間によって前記表示部を消灯させることを特徴とする請求項１記載の画像記録装置。
【請求項３】  装置本体の各種設定項目を選択する選択機能を有した操作部を更に備え、該操作部の操作により前記表示部が点灯されて放置された場合に、前記オートパワーオフ機能とは独立して前記表示部を消灯させることを特徴とする請求項１または２記載の画像記録装置。
【請求項４】  前記操作部は、クイックレビュー機能の動作を選択する選択機能と、前記クイックレビュー機能により前記表示部に表示させる表示時間を設定する設定機能を有し、前記クイックレビュー機能の動作が可能なときで撮影動作後に前記表示部に撮影画像を表示し、その後放置されて前記表示部が表示し続けている場合に、前記オートパワーオフ機能とは独立して前記表示部を消灯させることを特徴とする請求項３記載の画像記録装置。
【請求項５】  第１の設定時間で所定の機能を停止するオートパワーオフ機能、及び第２の設定時間で表示部を消灯させる消灯機能を有した画像記録装置の制御方法であって、前記第１の設定時間を基に前記第２の設定時間を決定し、該第２の設定時間によって前記表示部を消灯させるようにしたことを特徴とする画像記録装置の制御方法。
【請求項６】  前記第１の設定時間を基に前記第２の設定時間を計算するとともに、計算した第２の設定時間を計測し、該計測した第２の設定時間によって前記表示部を消灯させるようにしたことを特徴とする請求項５記載の画像記録装置の制御方法。
【請求項７】  装置本体の各種設定項目を選択する選択機能を有した操作部の操作により前記表示部が点灯されて放置された場合に、前記オートパワーオフ機能とは独立して前記表示部を消灯させるようにしたことを特徴とする請求項５または６記載の画像記録装置の制御方法。
【請求項８】  クイックレビュー機能の動作が可能なときで撮影動作後に前記表示部に撮影画像を表示し、その後放置されて前記表示部が表示し続けている場合に、前記オートパワーオフ機能とは独立して前記表示部を消灯させるようにしたことを特徴とする請求項７記載の画像記録装置の制御方法。
【手続補正２】
【補正対象書類名】明細書
【補正対象項目名】００１０
【補正方法】変更
【補正の内容】
【００１０】
（１）第１の設定時間で所定の機能を停止するオートパワーオフ機能、及び第２の設定時間で表示部を消灯させる消灯機能を有し、前記表示部を制御する表示制御部を備え、前記表示制御部は、前記第１の設定時間を基に前記第２の設定時間を決定し、該第２の設定時間によって前記表示部を消灯させるように制御することを特徴とする画像記録装置。
【手続補正３】
【補正対象書類名】明細書
【補正対象項目名】００１１
【補正方法】変更
【補正の内容】
【００１１】
（２）撮影時の画像確認機能と、装置本体の各種設定を前記表示部で選択可能にする選択機能を更に有し、前記表示制御部は、前記第１の設定時間を基に前記第２の設定時間を計算する計算機能と、計算した第２の設定時間を計測する計測機能を有し、該計測した第２の設定時間によって前記表示部を消灯させることを特徴とする前記（１）記載の画像記録装置。
【手続補正４】
【補正対象書類名】明細書
【補正対象項目名】００１２
【補正方法】変更
【補正の内容】
【００１２】
（３）装置本体の各種設定項目を選択する選択機能を有した操作部を更に備え、該操作部の操作により前記表示部が点灯されて放置された場合に、前記オートパワーオフ機能とは独立して前記表示部を消灯させることを特徴とする前記（１）または（２）記載の画像記録装置。
【手続補正５】
【補正対象書類名】明細書
【補正対象項目名】００１３
【補正方法】変更
【補正の内容】
【００１３】
（４）前記操作部は、クイックレビュー機能の動作を選択する選択機能と、前記クイックレビュー機能により前記表示部に表示させる表示時間を設定する設定機能を有し、前記クイックレビュー機能の動作が可能なときで撮影動作後に前記表示部に撮影画像を表示し、その後放置されて前記表示部が表示し続けている場合に、前記オートパワーオフ機能とは独立して前記表示部を消灯させることを特徴とする前記（３）記載の画像記録装置。
【手続補正６】
【補正対象書類名】明細書
【補正対象項目名】００１４
【補正方法】変更
【補正の内容】
【００１４】
（５）第１の設定時間で所定の機能を停止するオートパワーオフ機能、及び第２の設定時間で表示部を消灯させる消灯機能を有した画像記録装置の制御方法であって、前記第１の設定時間を基に前記第２の設定時間を決定し、該第２の設定時間によって前記表示部を消灯させるようにしたことを特徴とする画像記録装置の制御方法。
【手続補正７】
【補正対象書類名】明細書
【補正対象項目名】００１５
【補正方法】変更
【補正の内容】
【００１５】
（６）前記第１の設定時間を基に前記第２の設定時間を計算するとともに、計算した第２の設定時間を計測し、該計測した第２の設定時間によって前記表示部を消灯させるようにしたことを特徴とする前記（５）記載の画像記録装置の制御方法。
【手続補正８】
【補正対象書類名】明細書
【補正対象項目名】００１６
【補正方法】変更
【補正の内容】
【００１６】
（７）装置本体の各種設定項目を選択する選択機能を有した操作部の操作により前記表示部が点灯されて放置された場合に、前記オートパワーオフ機能とは独立して前記表示部を消灯させるようにしたことを特徴とする前記（５）または（６）記載の画像記録装置の制御方法。
【手続補正９】
【補正対象書類名】明細書
【補正対象項目名】００１７
【補正方法】変更
【補正の内容】
【００１７】
（８）クイックレビュー機能の動作が可能なときで撮影動作後に前記表示部に撮影画像を表示し、その後放置されて前記表示部が表示し続けている場合に、前記オートパワーオフ機能とは独立して前記表示部を消灯させるようにしたことを特徴とする前記（７）記載の画像記録装置の制御方法。
【手続補正書】
【提出日】平成20年9月19日(2008.9.19)
【手続補正１】
【補正対象書類名】明細書
【補正対象項目名】発明の名称
【補正方法】変更
【補正の内容】
【発明の名称】撮像装置及び撮像装置の制御方法
【手続補正２】
【補正対象書類名】明細書
【補正対象項目名】特許請求の範囲
【補正方法】変更
【補正の内容】
【特許請求の範囲】
【請求項１】  被写体を撮像する撮像素子と、
前記撮像素子の露出を制御するシャッタと、
前記シャッタが開放したまま保持されるときに電源状態を検出する電源状態検出手段と、
クリーニングモード動作が実行されるときに前記シャッタを開放状態にするものであって、前記クリーニングモード動作の実行によって前記シャッタが開放状態となるときに、前記電源状態検出手段が異常を検出した場合には、前記シャッタを開放したまま保持するように制御する動作制御手段とを有することを特徴とする撮像装置。
【請求項２】  前記動作制御手段は、前記クリーニングモード動作の実行以外によって前記シャッタが開放状態となるときに、前記電源状態検出手段が異常を検出した場合には、前記シャッタを閉鎖するように制御することを特徴とする請求項１記載の撮像装置。
【請求項３】  前記電源状態検出手段は、電源電圧が所定レベル以下になったときに異常を検出することを特徴とする請求項１又は２記載の撮像装置。
【請求項４】  前記電源状態検出手段が異常を検出した場合に、その旨を表示する表示手段を有することを特徴とする請求項１乃至３の何れか１項に記載の撮像装置。
【請求項５】  被写体を撮像する撮像素子と、前記撮像素子の露出を制御するシャッタと、前記シャッタが開放したまま保持されるときに電源状態を検出する電源状態検出手段とを有する撮像装置の制御方法であって、
クリーニングモード動作が実行されるときに前記シャッタを開放状態にするステップと、
前記クリーニングモード動作の実行によって前記シャッタが開放状態となるときに、前記電源状態検出手段が電源状態を検出するステップと、
前記電源状態検出手段が異常を検出した場合に、前記シャッタを開放したまま保持するように制御するステップとを有することを特徴とする撮像装置の制御方法。
【手続補正３】
【補正対象書類名】明細書
【補正対象項目名】０００１
【補正方法】変更
【補正の内容】
【０００１】
【発明の属する技術分野】
本発明は、エラー発生に伴うシャッタの開閉動作を制御する撮像装置及び撮像装置の制御方法に関し、特に、クリーニングモード時におけるシャッタの開閉動作に考慮した撮像装置及び撮像装置の制御方法に関するものである。
【手続補正４】
【補正対象書類名】明細書
【補正対象項目名】０００７
【補正方法】変更
【補正の内容】
【０００７】
【課題を解決するための手段】
かかる目的を達成するために、本発明の撮像装置は、被写体を撮像する撮像素子と、前記撮像素子の露出を制御するシャッタと、前記シャッタが開放したまま保持されるときに電源状態を検出する電源状態検出手段と、クリーニングモード動作が実行されるときに前記シャッタを開放状態にするものであって、前記クリーニングモード動作の実行によって前記シャッタが開放状態となるときに、前記電源状態検出手段が異常を検出した場合には、前記シャッタを開放したまま保持するように制御する動作制御手段とを有することを特徴とする。
【手続補正５】
【補正対象書類名】明細書
【補正対象項目名】０００８
【補正方法】変更
【補正の内容】
【０００８】
本発明の撮像装置の制御方法は、被写体を撮像する撮像素子と、前記撮像素子の露出を制御するシャッタと、前記シャッタが開放したまま保持されるときに電源状態を検出する電源状態検出手段とを有する撮像装置の制御方法であって、クリーニングモード動作が実行されるときに前記シャッタを開放状態にするステップと、前記クリーニングモード動作の実行によって前記シャッタが開放状態となるときに、前記電源状態検出手段が電源状態を検出するステップと、前記電源状態検出手段が異常を検出した場合に、前記シャッタを開放したまま保持するように制御するステップとを有することを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００７４
【補正方法】変更
【補正の内容】
【００７４】
【発明の効果】
以上の説明から明らかなように、本発明によれば、クリーニングモードに設定されているときは、電源状態に異常が発生してもシャッタが開いた状態で保持されるので、クリーニング作業時にシャッタが突然閉じることによってシャッタや撮像素子を破損させてしまうことを防止できる。
【手続補正書】
【提出日】平成20年9月9日(2008.9.9)
【手続補正１】
【補正対象書類名】明細書
【補正対象項目名】発明の名称
【補正方法】変更
【補正の内容】
【発明の名称】写真撮影装置および方法
【手続補正２】
【補正対象書類名】明細書
【補正対象項目名】特許請求の範囲
【補正方法】変更
【補正の内容】
【特許請求の範囲】
【請求項１】
撮影領域内に存在する使用者を含む被写体を撮影して撮影画像を生成する第１の撮影手段と、
上記第１の撮影手段で撮影された撮影画像を使用者に対して表示する第１の表示手段と、
上記第１の表示手段により表示された撮影画像に対して合成する画像を入力する入力手段と、
上記入力手段により入力された画像と撮影画像が合成された画像を印刷する印刷手段と、
上記被写体を撮影して被写体の動画を生成する第２の撮影手段と、
上記第２の撮影手段により撮影された画像を表示する第２の表示手段とを備えたことを特徴とする写真撮影装置。
【請求項２】
撮影領域内に存在する使用者を含む被写体を第１の撮影手段で撮影して撮影画像を生成する第１の撮影ステップと、
上記第１の撮影手段で撮影された撮影画像を使用者に対して第１の表示手段で表示する第１の表示ステップと、
上記第１の表示手段により表示された撮影画像に対して合成する画像を入力する入力ステップと、
上記入力ステップにより入力された画像と撮影画像が合成された画像を印刷する印刷ステップと、
上記被写体を第２の撮影手段で撮影して被写体の動画を生成する第２の撮影ステップと、
上記第２の撮影手段により撮影された画像を第２の表示手段で表示する第２の表示ステップとを備えたことを特徴とする写真撮影方法。
【手続補正３】
【補正対象書類名】明細書
【補正対象項目名】０００１
【補正方法】変更
【補正の内容】
【０００１】
【発明の属する技術分野】
本発明は、主としてゲームセンター等に設置され、硬貨等が投入されることにより使用者を撮影し、撮影画像をプリントして出力する写真撮影装置および方法に関するものである。
【手続補正４】
【補正対象書類名】明細書
【補正対象項目名】０００８
【補正方法】変更
【補正の内容】
【０００８】
本発明は、このような事情に鑑みなされたもので、動画としての撮像映像をリアルタイムに表示して、撮影の際の表情やポーズあるいはフレーミング等を確認しうる写真撮影装置および方法の提供を目的とする。
【手続補正５】
【補正対象書類名】明細書
【補正対象項目名】０００９
【補正方法】変更
【補正の内容】
【０００９】
【課題を解決するための手段】
上記の目的を達成するため、本発明の写真撮影装置は、撮影領域内に存在する使用者を含む被写体を撮影して撮影画像を生成する第１の撮影手段と、
上記第１の撮影手段で撮影された撮影画像を使用者に対して表示する第１の表示手段と、
上記第１の表示手段により表示された撮影画像に対して合成する画像を入力する入力手段と、
上記入力手段により入力された画像と撮影画像が合成された画像を印刷する印刷手段と、
上記被写体を撮影して被写体の動画を生成する第２の撮影手段と、
上記第２の撮影手段により撮影された画像を表示する第２の表示手段とを備えたことを要旨とする。
また、本発明の写真撮影方法は、撮影領域内に存在する使用者を含む被写体を第１の撮影手段で撮影して撮影画像を生成する第１の撮影ステップと、
上記第１の撮影手段で撮影された撮影画像を使用者に対して第１の表示手段で表示する第１の表示ステップと、
上記第１の表示手段により表示された撮影画像に対して合成する画像を入力する入力ステップと、
上記入力ステップにより入力された画像と撮影画像が合成された画像を印刷する印刷ステップと、
上記被写体を第２の撮影手段で撮影して被写体の動画を生成する第２の撮影ステップと、
上記第２の撮影手段により撮影された画像を第２の表示手段で表示する第２の表示ステップとを備えたことを要旨とする。
【手続補正６】
【補正対象書類名】明細書
【補正対象項目名】００１０
【補正方法】変更
【補正の内容】
【００１０】
すなわち、本発明は、上記第２の表示手段に、第２の撮影手段で撮像されている動画としての撮像映像をリアルタイムに表示して、撮影の際の表情やポーズあるいはフレーミング等を確認しうるようになっている。このようにすることにより、リアルタイム表示される動画を見ながら、動きを含めたポーズの確認を行なうことができ、連写撮影の際、例えば、ピッチングフォームやダンス等の一連の動作を行ないながらのポーズ決定等に便利である。
【手続補正７】
【補正対象書類名】明細書
【補正対象項目名】００２１
【補正方法】変更
【補正の内容】
【００２１】
本発明において、所定時間内に複数の撮影画像を生成する連写機能を有する場合には、従来は得られなかった連写撮影による連続写真が得られ、例えば、瞬時に顔の表情やポーズを変更しながら撮影したり、一連の動きの中からコマ撮りの連続写真を撮影したりすることができる。すなわち、最近では１回のプレイで複数回の撮影を行ない、複数の撮影画像を１枚の印刷媒体に印刷することができる写真自販機も考案され実施されている。ところが、このような写真自販機では、複数回の撮影を行なうことから１回のプレイ時間がどうしても長くなり、店舗にとっては顧客の回転が悪く、顧客にとっては待ち時間が長くなるという問題があった。そこで、連写により複数の撮影画像を得ることから、従来のように複数回の撮影を行なうものよりも短時間で所定枚数の撮影画像が得られ、１回のプレイ時間が短くてすみ、店舗にとっては顧客の回転がよくなり、顧客にとっては待ち時間が短縮されるという利点がある。さらに、瞬時に顔の表情やポーズを変えながらの撮影等が行なえ、娯楽性が高くなる。
【手続補正８】
【補正対象書類名】明細書
【補正対象項目名】００２２
【補正方法】削除
【補正の内容】
【手続補正９】
【補正対象書類名】明細書
【補正対象項目名】００９２
【補正方法】変更
【補正の内容】
【００９２】
【発明の効果】
以上のように、本発明によれば、上記第２の表示手段に、第２の撮影手段で撮像されている動画としての撮像映像をリアルタイムに表示して、撮影の際の表情やポーズあるいはフレーミング等を確認しうるようになっている。このようにすることにより、リアルタイム表示される動画を見ながら、動きを含めたポーズの確認を行なうことができ、連写撮影の際、例えば、ピッチングフォームやダンス等の一連の動作を行ないながらのポーズ決定等に便利である。
【手続補正書】
【提出日】平成20年9月8日(2008.9.8)
【手続補正１】
【補正対象書類名】明細書
【補正対象項目名】特許請求の範囲
【補正方法】変更
【補正の内容】
【特許請求の範囲】
【請求項１】
送信装置識別情報を含む情報を無線信号として送信する少なくとも一つの送信装置と、
該送信装置識別情報を記憶可能であり、かつ受信した無線信号に該記憶した送信装置識別情報が含まれているか否かを判断することにより該送信装置からの無線信号を選択的に受信する少なくとも一つの受信装置と
を具備することを特徴とする情報伝送システム。
【請求項２】
請求項１に記載の情報伝送システムにおいて、
該情報伝送システムは、ある一つの送信装置と、複数の受信装置であってそれぞれが該一つの送信装置の送信装置識別情報を記憶した複数の受信装置とを含むことを特徴とする情報伝送システム。
【請求項３】
第１の情報送受信機器と第２の情報送受信機器との双方向通信を行うための情報伝送システムにおいて、
該情報伝送システムは、
第１の情報送受信機器の出力端子に接続された第１の送信装置と、第１の情報送受信機器の入力端子に接続された第２の受信装置と、
第２の情報送受信機器の出力端子に接続された第２の送信装置と、第２の情報送受信機器の入力端子に接続された第１の受信装置と、
を具備し、
第１及び第２の送信装置はそれぞれ送信装置識別情報を含む情報を無線信号として送信する送信装置であり、
第１の受信装置は、第１の送信装置の送信装置識別情報を記憶し、受信した無線信号に該記憶した送信装置識別情報が含まれているか否かを判断することにより該第１の送信装置からの無線信号を選択的に受信する受信装置であり、
第２の受信装置は、第２の送信装置の送信装置識別情報を記憶し、受信した無線信号に該記憶した送信装置識別情報が含まれているか否かを判断することにより該第２の送信装置からの無線信号を選択的に受信する受信装置である
ことを特徴とする情報伝送システム。
【請求項４】
送信装置識別情報を記憶する情報記憶部と、
送信対象となる情報に該情報記憶部に記憶された送信装置識別情報を付加する情報変換部と、
を具備することを特徴とする送信装置。
【請求項５】
請求項４に記載された送信装置において、
該送信装置は、該情報記憶部に記憶された送信装置識別情報を受け取り、これを受信装置に記憶させるように送出するためのペアリング処理部をさらに具備する、
ことを特徴とすることを特徴とする送信装置。
【請求項６】
送信装置識別情報を記憶する情報記憶部と、
無線信号を復調して受信信号を出力する無線受信部と、
該無線受信部から受信信号を受け取り、該受信信号が情報記憶部に記憶された送信装置識別情報を含んでいるか否かを判断し、該受信信号が該記憶された送信装置識別情報を含んでいる場合は、該受信信号を送出するように該無線受信部
を制御する受信制御部と、
を具備することを特徴とする受信装置。
【請求項７】
請求項６に記載の受信装置において、
該受信装置は、送信装置から送信された送信装置識別情報を取得し、該取得した送信装置識別情報を情報記憶部に記憶させるためのペアリング処理部をさらに具備することを特徴とすることを特徴とする受信装置。
【請求項８】
請求項６に記載の受信装置において、
前記情報記憶部は複数の送信装置の送信装置識別情報を記憶可能であり、
前記受信制御部は、前記無線受信部が受信した無線信号に該複数の送信装置の送信装置識別情報のいずれかが含まれているか否かを判断し、該無線信号が記憶した送信装置識別情報のいずれかを含んでいる場合には、無線受信部に受信信号を出力させるように該無線受信部を制御する
ことを特徴とする受信装置。
【請求項９】
送信装置から少なくとも一つの受信装置へ情報を伝送するための情報伝送方法において、
該送信装置の送信装置識別情報を受信装置のそれぞれに記憶させるステップと
、
送信装置識別情報を含む情報を無線信号に変換して送信するステップと、
受信した無線信号が前記記憶させるステップにおいて記憶した送信装置識別情報を含むか否かを判断するステップと、
受信した無線信号が該記憶した送信装置識別情報を含むと判断した場合、該無線信号から情報を取得するステップと
を具備することを特徴とする情報伝送方法。
【請求項１０】
第１の情報送受信機器と第２の情報送受信機器との双方向通信を行うための情報伝送システムであって、該情報伝送システムは、第１の情報送受信機器の出力端子に接続された第１の送信装置と、第１の情報送受信機器の入力端子に接続された第２の受信装置と、第２の情報送受信機器の出力端子に接続された第２の送信装置と、第２の情報送受信機器の入力端子に接続された第１の受信装置とを具備する情報伝送システムを用いて情報を伝送するための情報伝送方法において
第１の受信装置に第１の送信装置の送信装置識別情報を記憶させるステップと、
第２の受信装置に第２の送信装置の送信装置識別情報を記憶させるステップと、
第１及び第２の送信装置を用いて送信装置識別情報を含む情報を無線信号に変換して送信するステップと、
受信した無線信号は、前記記憶させるステップにおいて記憶した送信装置識別情報を含むか否かを第１及び第２の受信装置のそれぞれが判断するステップと、
受信した無線信号が該記憶した送信装置識別情報を含むと判断した場合、第１及び第２の受信装置のそれぞれが該無線信号から情報を取得するステップと
を具備することを特徴とする情報伝送方法。
【請求項１１】
予め記憶されている送信装置識別情報を読み出すステップと、
送信対象となる情報を受け取り、これを該送信装置識別情報を含むデータ単位に変換するステップと
を具備することを特徴とする送信方法。
【請求項１２】
請求項１１に記載された送信方法において、
前記記憶された送信装置識別情報を受信装置に記憶させるように、該送信装置識別情報を送出するペアリング処理ステップをさらに具備する、
ことを特徴とすることを特徴とする送信方法。
【請求項１３】
予め記憶された送信装置識別情報を読み出すステップと、
無線信号を復調して受信信号を取得し、該受信信号が前記記憶された送信装置識別情報を含んでいるか否かを判断するステップと、
該受信信号が該記憶された送信装置識別情報を含んでいる場合は、該受信信号から情報を再生し、該情報を出力するステップと
を具備することを特徴とする受信方法。
【請求項１４】
請求項１３に記載の受信方法において、
該方法は：
該受信装置は、送信装置から送信された無線信号から該送信装置の送信装置識別情報を取得し、該取得した送信装置識別情報を情報記憶部に記憶させるためのペアリング処理部をさらに具備することを特徴とする受信方法。
【請求項１５】
請求項１３に記載の受信方法において、
前記予め記憶された送信装置識別情報は、複数の送信装置の送信装置識別情報であり、
該無線信号が、前記予め記憶した送信装置識別情報のいずれかを含んでいる場合には、該受信信号から情報を再生し、該情報を出力する
ことを特徴とする受信方法。
【手続補正書】
【提出日】平成20年9月8日(2008.9.8)
【手続補正１】
【補正対象書類名】明細書
【補正対象項目名】請求項２
【補正方法】変更
【補正の内容】
【請求項２】前記中央装置は、前記複数帯域の搬送波のうち所定の搬送波をイーサネット仕様で変調し、周波数多重で下り信号経路に伝送することを特徴とする請求項１に記載の光ファイバネットワークシステムの伝送方式。
【手続補正２】
【補正対象書類名】明細書
【補正対象項目名】請求項１１
【補正方法】変更
【補正の内容】
【請求項１１】前記第１光カプラを前記分岐点に設ける場合は、波長の異なる光を合分波する第２光カプラを前記中央装置後段と前記第１光カプラ前段に備え、又は中央装置後段と前記第１光カプラを挟んで需要家前段に備え、両第２光カプラ間を１本の光経路で接続することを特徴とする請求項９又は請求項１０に記載の光ファイバネットワークシステム。
【手続補正３】
【補正対象書類名】明細書
【補正対象項目名】００２４
【補正方法】変更
【補正の内容】
【００２４】
又、請求項１１に記載の光ファイバネットワークシステムは、請求項９又は請求項１０に記載の光ファイバネットワークシステムであって、第１光カプラを分岐点に設ける場合は、波長の異なる光を合分波する第２光カプラを中央装置後段と第１光カプラ前段に備え、又は中央装置後段とその第１光カプラを挟んで需要家前段に備え、両第２光カプラ間を１本の光経路で接続することを特徴とする。
このシステム構成は、中央装置と第１光カプラ間に対向するように１対の第２光カプラを設けて、それらの間を１本の光経路で接続した構成である。及び／又は、中央装置後段と需要家前段に第１光カプラを挟んで１対の第２光カプラを設けて、それらの間を１つの光経路で接続した構成である。換言すれば、前者は中央装置と第１光カプラ間を１本の光経路で接続する構成である。後者は、第１光カプラを挟んで中央装置と需要家を１本の光経路で接続した構成である。ここで、前者の場合の１本の光経路は、例えば幹線の光ファイバを意味し、後者の場合の１本の光経路は例えば幹線の光ファイバと、第１光カプラ、分岐ファイバからなる一連の光経路を意味する。
尚、ここでも、第１光カプラは波長に拘わらず光信号を分岐又は分配する光分岐素子又は光分配素子の意味であり、第２光カプラは所定波長の光信号を所定の方向へ分岐する波長選択性素子（分波フィルタ）の意味である。